(57)【要約】【課題】飛行性能に優れたゴルフボール１の提供。【解決手段】ゴルフボール１は、その表面に多数のディンプル４と、ランド部５とを備えている。このディンプル４は、二点鎖線で示される仮想球の表面よりも凹陥している。このディンプル４は、エッジＥを備えている。このディンプル４は、エッジＥよりも外側に郭外部６を備えている。この郭外部６の幅Ｗの平均値は、０．０３ｍｍ以上０．２０ｍｍ以下である。ディンプル４の最大寸法ｄに対する郭外部６の幅Ｗの比（Ｗ／ｄ）の平均値は、０．０１５以上０．０４０以下である。郭外部６と最大寸法線Ｔとのなす角度αの平均値は、１．０°以上１５．０°以下である。郭外部６により、ディンプル４の内側に向かって流れ込む空気の剥離が抑制される。【選択図】　図１
2004073524.tif 000002
【特許請求の範囲】
【請求項１】
表面に多数のディンプルを備えており、このディンプルがエッジとこのエッジの外側に位置する郭外部とを含んでおり、この郭外部の幅Ｗの平均値が０．０３ｍｍ以上０．２０ｍｍ以下であるゴルフボール。
【請求項２】
上記ディンプルの最大寸法ｄに対する郭外部の幅Ｗの比（Ｗ／ｄ）の平均値が０．０１５以上０．０４０以下であるゴルフボール。
【請求項３】
上記郭外部と最大寸法線とのなす角度αの平均値が１．０°以上１５．０°以下である請求項１又は請求項２に記載のゴルフボール。
【発明の詳細な説明】
【０００１】
【発明の属する技術分野】
本発明は、ゴルフボールに関する。詳細には、本発明は、ディンプルの断面形状の改良に関するものである。
【０００２】
【従来の技術】
ゴルフボールは、その表面に多数のディンプルを備えている。ディンプルの役割は、ゴルフボール飛行時にゴルフボール周りの空気の流れを乱すことによって境界層の乱流遷移を促進し、乱流剥離を起こさせることにある（以下、「ディンプル効果」と称される）。乱流遷移の促進により空気のゴルフボールからの剥離点が後方に下がり、抗力係数（Ｃｄ）が小さくなってゴルフボールの飛距離が増大する。しかも、乱流遷移の促進により、バックスピンに起因するゴルフボールの上側と下側とにおける剥離点の差が助長され、ゴルフボールに作用する揚力が高められる。飛行性能向上を意図したディンプル断面形状の改良が、種々提案されている。
【０００３】
特開平５−２３７２０２号公報には、断面形状が互いに異なるディンプルのエッジ角度が同一とされたゴルフボールが開示されている。特開平９−２８５５６６号公報には、ディンプルのエッジにおけるディンプル表面に対する接線の傾斜角度が所定範囲とされたゴルフボールが開示されている。特開平１１−８９９６７号公報には、エッジ角度が３０度以下であるディンプルを備えたゴルフボールが開示されている。特開２０００−２７９５５３公報には、断面形状が特殊なディンプルを備えたゴルフボールが開示されている。これらの技術は、エッジよりも内側の部分の形状に関するものである。
【０００４】
【発明が解決しようとする課題】
ゴルファーのゴルフボールに対する最大の関心事は、飛距離である。飛距離向上の観点から、ディンプルの断面形状には改良の余地がある。本発明の目的は、ゴルフボールの飛行性能を改善することにある。
【０００５】
【課題を解決するための手段】
本発明に係るゴルフボールは、表面に多数のディンプルを備えている。このディンプルは、エッジとこのエッジの外側に位置する郭外部とを含んでいる。この郭外部の幅Ｗの平均値は、０．０３ｍｍ以上０．２０ｍｍ以下である。このゴルフボールは、幅Ｗの大きな郭外部を備えている。この郭外部は、ゴルフボールの飛行性能向上に寄与する。郭外部が飛行性能向上に寄与する詳細な理由は不明であるが、ディンプルの内側に向けて流れる空気の剥離が郭外部によって抑制されるためと推測される。
【０００６】
好ましくは、ディンプルの最大寸法ｄに対する郭外部の幅Ｗの比（Ｗ／ｄ）の平均値は、０．０１５以上０．０４０以下である。好ましくは、郭外部と最大寸法線とのなす角度αの平均値は、１．０°以上１５．０°以下である。
【０００７】
【発明の実施の形態】
以下、適宜図面が参照されつつ、好ましい実施形態に基づいて本発明が詳細に説明される。
【０００８】
図１は、本発明の一実施形態に係るゴルフボール１が示された一部切り欠き断面図である。このゴルフボール１は、球状のコア２と、カバー３とを備えている。カバー３の表面には、多数のディンプル４が形成されている。このゴルフボール１は、カバー３の外側にペイント層及びマーク層を備えているが、これらの図示は省略されている。
【０００９】
このゴルフボール１の直径は、通常は４０ｍｍから４５ｍｍ、特には４２ｍｍから４４ｍｍである。米国ゴルフ協会（ＵＳＧＡ）の規格が満たされる範囲で空気抵抗が低減されるという観点から、直径は４２．６７ｍｍ以上４２．８０ｍｍ以下が好ましい。このゴルフボール１の質量は、通常は４０ｇ以上５０ｇ以下、特には４４ｇ以上４７ｇ以下である。米国ゴルフ協会の規格が満たされる範囲で慣性が高められるという観点から、質量は４５．００ｇ以上４５．９３ｇ以下が好ましい。
【００１０】
コア２は、ゴム組成物が架橋されることによって形成されている。ゴム組成物の基材ゴムとしては、ポリブタジエン、ポリイソプレン、スチレン−ブタジエン共重合体、エチレン−プロピレン−ジエン共重合体及び天然ゴムが例示される。２種以上のゴムが併用されてもよい。反発性能の観点からポリブタジエンが好ましく、特にハイシスポリブタジエンが好ましい。
【００１１】
コア２の架橋には、通常は共架橋剤が用いられる。反発性能の観点から好ましい共架橋剤は、アクリル酸亜鉛、アクリル酸マグネシウム、メタクリル酸亜鉛及びメタクリル酸マグネシウムである。ゴム組成物には、共架橋剤と共に有機過酸化物が配合されるのが好ましい。好適な有機過酸化物としては、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが挙げられる。
【００１２】
ゴム組成物には、充填剤、硫黄、老化防止剤、着色剤、可塑剤、分散剤等の各種添加剤が、必要に応じて適量配合される。コア２に、架橋ゴム粉末又は合成樹脂粉末が配合されてもよい。
【００１３】
コア２の直径は、通常は３０．０ｍｍ以上４２．０ｍｍ以下、特には３８．０ｍｍ以上４１．５ｍｍ以下である。コア２が、２以上の層から構成されてもよい。
【００１４】
カバー３は、合成樹脂組成物から成形されている。カバー３の基材樹脂としては、アイオノマー樹脂、ポリウレタン系熱可塑性エラストマー、ポリアミド系熱可塑性エラストマー、ポリエステル系熱可塑性エラストマー及びポリオレフィン系熱可塑性エラストマーが例示される。
【００１５】
カバー３には、必要に応じ、着色剤、充填剤、分散剤、酸化防止剤、紫外線吸収剤、光安定剤、蛍光剤、蛍光増白剤等が適量配合される。比重調整の目的で、カバー３にタングステン、モリブデン等の高比重金属の粉末が配合されてもよい。
【００１６】
カバー３の厚みは、通常は０．３ｍｍ以上６．０ｍｍ以下、特には０．６ｍｍ以上２．４ｍｍ以下である。カバー３が、２以上の層から構成されてもよい。
【００１７】
図２は図１のゴルフボール１が示された拡大平面図であり、図３はその正面図である。図２及び図３から明らかなように、全てのディンプル４の平面形状は円形である。図２では、ゴルフボール１の表面が１０個の等価なユニットに区画された場合の１個のユニットにおいて、符号ＡからＤによってディンプル４の種類が示されている。このゴルフボール１は、直径が４．０５ｍｍであるＡディンプルと、直径が３．６０ｍｍであるＢディンプルと、直径が３．４０ｍｍであるＣディンプルと、直径が３．２ｍｍであるＤディンプルとを備えている。Ａディンプルの個数は１３２個であり、Ｂディンプルの個数は１８０個であり、Ｃディンプルの個数は６０個であり、Ｄディンプルの個数は６０個である。このゴルフボール１のディンプル総数は、４３２個である。
【００１８】
図４は、図１のゴルフボール１の一部が示された模式的拡大断面図である。この図には、ディンプル４の最深箇所及び仮想球中心を通過する断面が示されている。ゴルフボール１の表面は、ディンプル４とランド部５とから構成される。ランド部５は、ディンプル４以外の部分である。図４において二点鎖線で示されているのは、仮想球である。仮想球は、ディンプル４が存在しないと仮定されたときの球である。ディンプル４は、仮想球から凹陥している。ランド部５は、仮想球と一致している。図４において符号Ｓで示されているのは、ディンプル４とランド部５との境界である。換言すれば、境界Ｓよりも内側においてゴルフボール１の表面は仮想球と離れており、境界Ｓよりも外側においてゴルフボール１の表面は仮想球と一致している。
【００１９】
図４において両矢印ｄで示されているのは、ディンプル４の直径である。この直径ｄは、ディンプル４の両側に共通の接線Ｔが画かれたときの、一方の接点Ｅと他方の接点Ｅとの距離である。接点Ｅは、ディンプル４のエッジでもある。エッジＥは、ディンプル４の平面形状を画定する。本明細書では、ディンプル４の平面形状内に画かれうる最長線分の長さが、最大寸法と称される。円形ディンプルでは、直径ｄが最大寸法である。本明細書では、接線Ｔは最大寸法線とも称される。
【００２０】
図５は、図４のゴルフボール１の一部がさらに拡大された模式的断面図である。ゴルフボール１の表面のうち境界ＳとエッジＥとに挟まれた領域は、郭外部６である。この郭外部６は、仮想球よりも低い。この郭外部６は、ディンプル４の一部である。図５において左から右に向かって流れる空気は、境界Ｓよりも左側の領域を通過し、次に郭外部６を通過し、エッジＥの右側の領域へと流れ込む。エッジＥの右側の領域は仮想球よりも低いので、この領域において空気はディンプル４の表面から剥離しやすい。エッジＥよりも上流に仮想球よりも低い郭外部６が存在することで、空気が段階的に降下する。これによりエッジＥの右側の領域における空気の剥離が抑制され、空気が円滑にディンプル４の内側に流入する。郭外部６は、ディンプル効果を高める。郭外部６により、ゴルフボール１の飛行性能が向上する。
【００２１】
境界ＳとエッジＥとの直線距離Ｗは、郭外部６の幅である。郭外部６の幅Ｗの平均値は、０．０３ｍｍ以上０．２０ｍｍ以下が好ましい。幅Ｗの平均値が上記範囲未満であると、空気の剥離が抑制されにくい。この観点から、幅Ｗの平均値は０．０５ｍｍ以上がより好ましく、０．０７ｍｍ以上が特に好ましい。幅Ｗの平均値が上記範囲を超えると、後述される表面積占有率が小さくなって、ゴルフボール１の飛行性能が不十分となることがある。この観点から、幅Ｗの平均値は０．１８ｍｍ以下がより好ましく、０．１５ｍｍ以下が特に好ましい。
【００２２】
図１から図５に示されたゴルフボール１では、全てのディンプル４の郭外部６の幅Ｗは０．１２ｍｍである。従って、幅Ｗの平均値は０．１２ｍｍである。
【００２３】
幅Ｗは、ランド部５と隣接している箇所において測定される。換言すれば、ランド部５を介することなくディンプル４が他のディンプル４と隣接している箇所では、幅Ｗの測定は行われない。１個のディンプル４においてランド部５と隣接している箇所は、通常は複数個存在する。これらの箇所のうち無作為に決定された１箇所において、そのディンプル４の幅Ｗが測定される。原則的には、全てのディンプル４についての幅Ｗの合計がディンプル総数で除されることで、平均値が算出される。ランド部５と隣接している箇所が存在しないディンプルでは、幅Ｗは測定され得ない。ランド部５と隣接している箇所が存在しないディンプル以外のディンプル４において幅Ｗが測定され、平均値が算出される。
【００２４】
射出成形法によってカバー３が成形されたゴルフボール１では、保持ピン先端及びベントピン先端によって形成されたディンプルが存在する。ピンの先端で形成されたディンプルでは、幅Ｗの正確な測定は困難である。このようなゴルフボール１では、ピンの先端で形成されたディンプル以外のディンプル４において幅Ｗが測定され、平均値が算出される。
【００２５】
ランド部５と隣接している箇所が存在しないディンプル、ピンの先端で形成されたディンプル等の、幅Ｗの平均値の算出において考慮されないディンプルの数は、ディンプル総数の１０％以下、特には５％以下が好ましい。
【００２６】
個々のディンプル４の幅Ｗは、０．０２ｍｍ以上０．２２ｍｍ以下が好ましい。幅Ｗが上記範囲未満であると、空気の剥離が抑制されにくい。この観点から、幅Ｗは０．０４ｍｍ以上がより好ましく、０．０６ｍｍ以上が特に好ましい。幅Ｗが上記範囲を超えると、後述される表面積占有率が小さくなって、ゴルフボール１の飛行性能が不十分となることがある。この観点から、幅Ｗは０．２０ｍｍ以下がより好ましく、０．１８ｍｍ以下が特に好ましい。幅Ｗが上記範囲に含まれるディンプル４の数がディンプル総数に占める比率は５０％以上が好ましく、６５％以上がより好ましく、８０％以上が特に好ましい。
【００２７】
最大寸法ｄが大きなディンプル４において幅Ｗが比較的大きくされ、最大寸法ｄが小さなディンプル４において幅Ｗが比較的小さくされるのが好ましい。ディンプル４の最大寸法ｄに対する郭外部６の幅Ｗの比（Ｗ／ｄ）の平均値は、０．０１５以上０．０４０以下が好ましい。（Ｗ／ｄ）の平均値が上記範囲未満であると、空気の剥離が抑制されにくい。この観点から、（Ｗ／ｄ）の平均値は０．０１８以上がより好ましく、０．０２０以上が特に好ましい。（Ｗ／ｄ）の平均値が上記範囲を超えると、乱流遷移が阻害されることがある。この観点から、（Ｗ／ｄ）の平均値は０．０３７以下がより好ましく、０．０３５以下が特に好ましい。原則的には、全てのディンプル４についての（Ｗ／ｄ）の合計がディンプル総数で除されることで、平均値が算出される。幅Ｗの測定が不可能なディンプルは、（Ｗ／ｄ）の平均値の算出において考慮されない。
【００２８】
図１から図５に示されたゴルフボール１では、Ａディンプルの（Ｗ／ｄ）は０．０２９６であり、Ｂディンプルの（Ｗ／ｄ）は０．０３３３であり、Ｃディンプルの（Ｗ／ｄ）は０．０３５３であり、Ｄディンプルの（Ｗ／ｄ）は０．０３７５である。このゴルフボール１の（Ｗ／ｄ）の平均値は、０．０３３である。
【００２９】
個々のディンプル４における比（Ｗ／ｄ）は、０．０１０以上０．０４５以下が好ましい。（Ｗ／ｄ）が上記範囲未満であると、空気の剥離が抑制されにくい。この観点から、（Ｗ／ｄ）は０．０１３以上がより好ましく、０．０１５以上が特に好ましい。（Ｗ／ｄ）が上記範囲を超えると、乱流遷移が阻害されることがある。この観点から、（Ｗ／ｄ）の平均値は０．０４２以下がより好ましく、０．０４０以下が特に好ましい。（Ｗ／ｄ）が上記範囲に含まれるディンプル４の数がディンプル総数に占める比率は５０％以上が好ましく、６５％以上がより好ましく、８０％以上が特に好ましい。
【００３０】
郭外部６と最大寸法線Ｔとのなす角度αの平均値は、１．０°（ｄｅｇｒｅｅ）以上１５．０°以下が好ましい。αの平均値が上記範囲未満であると、空気の剥離が抑制されにくい。この観点から、αの平均値は３．０°以上がより好ましく、５．０°以上が特に好ましい。αの平均値が上記範囲を超えると、エッジＥが空気の流れを妨げてディンプル効果が低減されることがある。この観点から、αの平均値は１２．０°以下がより好ましく、１０．０°以下が特に好ましい。原則的には、全てのディンプル４についてのαの合計がディンプル総数で除されることで、平均値が算出される。幅Ｗの測定が不可能なディンプルは、αの平均値の算出において考慮されない。
【００３１】
図１から図５に示されたゴルフボール１では、全てのディンプル４のαは７．０°である。従って、αの平均値は７．０°である。図５に示されるように、境界Ｓ及びエッジＥを通過する直線と、このエッジＥを通過する接線Ｔとのなす角度が、αである。
【００３２】
個々のディンプル４におけるαは、０．５°以上１７．５°以下が好ましい。αが上記範囲未満であると、空気の剥離が抑制されにくい。この観点から、αは２．５°以上がより好ましく、４．５°以上が特に好ましい。αが上記範囲を超えると、エッジＥが空気の流れを妨げてディンプル効果が低減されることがある。この観点から、αは１４．５°以下がより好ましく、１２．５°以下が特に好ましい。αが上記範囲に含まれるディンプル４の数がディンプル総数に占める比率は５０％以上が好ましく、６５％以上がより好ましく、８０％以上が特に好ましい。
【００３３】
図６は、図４のディンプル４が形成されるための切削工具７の一部が示された正面図である。この切削工具７は、張り出し部８を備えている。この切削工具７によって、マスター型に凹部が形成される。このマスター型により、成形型が形成される。この成形型には、マスター型の凹部の形状が反転した形状の凸部が形成される。この成形型により、ゴルフボール１が成形される。ゴルフボール１には、成形型の凸部の形状が反転した形状のディンプル４が形成される。このディンプル４は、郭外部６を備える。郭外部６は、張り出し部８の形状が反転された形状を備える。
【００３４】
マスター型が製作されず、円柱状の金属塊が工具で直接切削されることで、成形型が製造される場合もある。この場合は、凸部のエッジ近傍が工具によって丸められる。この成形型によっても、郭外部６を備えたゴルフボール１が成形されうる。
【００３５】
碗状のディンプルが形成され、このディンプルのエッジが研磨によって丸められることで、郭外部６が形成されてもよい。碗状のディンプルが形成され、このディンプルのエッジの近傍に厚みが不均一な塗料が塗られることで、郭外部６が形成されてもよい。
【００３６】
図５において仮想球とディンプル４の表面とに囲まれた部分の容積は、ディンプル容積である。ディンプル４の総容積は、３００ｍｍ３以上７００ｍｍ３以下が好ましい。総容積が上記範囲未満であると、ホップする弾道となることがある。この観点から、総容積は３５０ｍｍ３以上が特に好ましい。総容積が上記範囲を超えると、ドロップする弾道となるおそれがある。この観点から、総容積は６００ｍｍ３以下が特に好ましい。
【００３７】
図１から図５に示されたゴルフボール１では、Ａディンプルの容積は１．５５５ｍｍ３であり、Ｂディンプルの容積は１．０８７ｍｍ３であり、Ｃディンプルの容積）は０．９３８ｍｍ３であり、Ｄディンプルの容積は０．７７２ｍｍ３である。このゴルフボール１の総容積は、５０３．５ｍｍ３である。
【００３８】
ディンプル４の総面積が仮想球の表面積に占める比率は、表面積占有率と称される。表面積占有率は、７０％以上９０％以下が好ましい。表面積占有率が上記範囲未満であると、飛行中のゴルフボール１の揚力が不足するおそれがある。この観点から、表面積占有率は７２％以上がより好ましく、７５％以上が特に好ましい。表面積占有率が上記範囲を超えると、ホップする弾道となることがある。この観点から、表面積占有率は８８％以下がより好ましく、８６％以下が特に好ましい。
【００３９】
ディンプル４の面積は、無限遠からゴルフボール１の中心を見た場合の、エッジラインに囲まれた領域の面積（すなわち平面形状の面積）である。平面形状が円形であるディンプル４の場合は、下記数式によって面積ｓが算出される。
ｓ＝（ｄ／２）２×π
図１から図５に示されたゴルフボール１では、Ａディンプルの面積は１２．９ｍｍ２であり、Ｂディンプルの面積は１０．２ｍｍ２であり、Ｃディンプルの面積は９．１ｍｍ２であり、Ｄディンプルの面積は８．０ｍｍ２である。このゴルフボール１の総面積は、４５６４．８ｍｍ２である。この総面積が仮想球の表面積で除されることにより、表面積占有率が算出される。このゴルフボール１では、表面積占有率は７９．６％である。
【００４０】
ディンプル４の最大寸法ｄの平均値は、３．０ｍｍ以上５．０ｍｍ以下が好ましい。最大寸法ｄの平均値が上記範囲未満であると、ディンプル効果が不十分となることがある。この観点から、最大寸法ｄの平均値は３．２ｍｍ以上がより好ましく、３．４ｍｍ以上が特に好ましい。最大寸法ｄの平均値が上記範囲を超えると、ゴルフボール１の表面がいびつになることがある。この観点から、最大寸法ｄの平均値は４．８ｍｍ以下がより好ましく、４．６ｍｍ以下が特に好ましい。
【００４１】
個々のディンプル４の最大寸法ｄは、２．２ｍｍ以上６．０ｍｍ以下が好ましい。最大寸法ｄが上記範囲未満であると、ディンプル効果が不十分となることがある。この観点から、最大寸法ｄは２．５ｍｍ以上がより好ましく、２．７ｍｍ以上が特に好ましい。最大寸法ｄが上記範囲を超えると、ゴルフボール１の表面がいびつになることがある。この観点から、最大寸法ｄは５．８ｍｍ以下がより好ましく、５．６ｍｍ以下が特に好ましい。最大寸法ｄが上記範囲に含まれるディンプル４の数がディンプル総数に占める比率は５０％以上が好ましく、６５％以上がより好ましく、８０％以上が特に好ましい。
【００４２】
個々のディンプル４の深さは、０．１ｍｍ以上０．６ｍｍ以下が好ましい。深さが上記範囲未満であると、ホップする弾道となることがある。この観点から、深さは０．１２ｍｍ以上がより好ましく、０．１４ｍｍ以上が特に好ましい。深さが上記範囲を超えると、ドロップする弾道となることがある。この観点から、深さは０．５５ｍｍ以下がより好ましく、０．５０ｍｍ以下が特に好ましい。深さが上記範囲に含まれるディンプル４の数がディンプル総数に占める比率は５０％以上が好ましく、６５％以上がより好ましく、８０％以上が特に好ましい。深さは、仮想球の表面からディンプル４の最深部までの距離である。
【００４３】
ディンプル４の総数は、２００個以上５００個以下が好ましい。総数が上記範囲未満であると、ディンプル効果が得られにくい。この観点から、総数は２３０個以上がより好ましく、２６０個以上が特に好ましい。総数が上記範囲を超えると、ディンプル効果が得られにくい。この観点から、総数は４７０個以下がより好ましく、４４０個以下が特に好ましい。
【００４４】
形成されるディンプル４は単一種類でもよく、複数種類であってもよい。円形ディンプル４に代えて、又は円形ディンプル４とともに、非円形ディンプル（平面形状が円でないディンプル４）が形成されてもよい。非円形ディンプルの場合、最深箇所及び仮想球中心を通過し、かつ寸法が最大となる断面が選択され、この断面において幅Ｗ、角度α及び最大寸法ｄが測定される。
【００４５】
図１に示されたゴルフボール１は、ツーピース構造であるが、マルチピースゴルフボール、糸巻きゴルフボール又はワンピースゴルフボールにおいても、郭外部６を備えたディンプル４が形成されるのが好ましい。
【００４６】
【実施例】
以下、実施例に基づいて本発明の効果が明らかにされるが、この実施例の記載に基づいて本発明が限定的に解釈されるべきではない。
【００４７】
［実施例１］
ソリッドゴムからなり直径が３８．４ｍｍであるコアを金型に投入し、コアの周りにアイオノマー樹脂組成物を射出してカバー層を形成した。このカバー層の表面に塗装を施して、平面図が図２であり正面図が図３であるディンプルパターンを備えた実施例１のゴルフボールを得た。このゴルフボールの外径は約４２．７０ｍｍであり、質量は４５．４ｇである。アッティエンジニアリング社のＡＴＴＩコンプレッションテスターによって測定されたゴルフボールのコンプレッションは、約８５である。このゴルフボールは、直径が４．０５ｍｍであり深さが０．２６６７ｍｍであり容積が１．５５５ｍｍ３である１３２Ａ個のディンプルと、直径が３．６０ｍｍであり深さが０．２３３７ｍｍであり容積が１．０８７ｍｍ３である１８０個のＢディンプルと、直径が３．４０ｍｍであり深さが０．２３４８ｍｍであり容積が０．９３８ｍｍ３である６０個のＣディンプルと、直径が３．２０ｍｍであり深さが０．２２２０ｍｍであり容積が０．７７２ｍｍ３である６０個のＤディンプルとを備えている。このゴルフボールのディンプル総容積は５０３．５ｍｍ３であり、表面積占有率は７９．６％である。郭外部の幅Ｗ、比（Ｗ／ｄ）及び角度αが、下記の表１に示されている。
【００４８】
［実施例２から５及び比較例１から３］
郭外部の幅Ｗ、比（Ｗ／ｄ）及び角度αを下記の表１及び表２に示されるように設定した他は実施例１と同様にして、実施例２から５及び比較例１から３のゴルフボールを得た。
【００４９】
［飛距離テスト］
スイングマシン（ツルテンパー社製）に、メタルヘッドを備えたドライバー（住友ゴム工業社の「ＸＸＩＯ　Ｗ＃１」、ロフト：８°、シャフト硬度：Ｘ）を装着した。そして、ヘッド速度が４９ｍ／ｓｅｃであり、打ち出し角度が約１１°であり、バックスピンの速度が約３０００ｒｐｍである条件で、ゴルフボールを打撃した。そして、キャリー（発射地点から落下地点までの距離）、ラン（落下地点から静止地点までの距離）及びトータル距離（発射地点から静止地点までの距離）を測定した。測定時は、ほぼ無風であった。２０個の測定結果の平均値が、下記の表１及び表２に示されている。
【００５０】
【表１】
2004073524.tif 000003
【００５１】
【表２】
2004073524.tif 000004
【００５２】
表１及び表２に示されるように、実施例のゴルフボールは比較例のゴルフボールよりも飛距離が大きい。この評価結果から、本発明の優位性は明らかである。
【００５３】
【発明の効果】
以上説明されたように、本発明のゴルフボールは飛行性能に優れる。このゴルフボールは、これを打撃するゴルファーに爽快感を与え、かつスコアの向上に寄与する。
【図面の簡単な説明】
【図１】図１は、本発明の一実施形態に係るゴルフボールが示された一部切り欠き断面図である。
【図２】図２は、図１のゴルフボールが示された拡大平面図である。
【図３】図３は、図１のゴルフボールが示された拡大正面図である。
【図４】図４は、図１のゴルフボールの一部が示された模式的拡大断面図である。
【図５】図５は、図４のゴルフボールの一部がさらに拡大された模式的断面図である。
【図６】図６は、図４のディンプルが形成されるための切削工具の一部が示された正面図である。
【符号の説明】
１・・・ゴルフボール
２・・・コア
３・・・カバー
４・・・ディンプル
５・・・ランド部
６・・・郭外部
７・・・切削工具
８・・・張り出し部
Ａ・・・Ａディンプル
Ｂ・・・Ｂディンプル
Ｃ・・・Ｃディンプル
Ｄ・・・Ｄディンプル
【図１】
2004073524.tif 000005
【図２】
2004073524.tif 000006
【図３】
2004073524.tif 000007
【図４】
2004073524.tif 000008
【図５】
2004073524.tif 000009
【図６】
2004073524.tif 000010